(57)【要約】【課題】  画像撮像地点の住所に関連する情報を画像に関連付けて表示すること。【解決手段】  情報検索部１０５ｂは、画像の撮像地点の緯度経度情報に基づいて、画像の撮像地点の住所を特定し、特定した画像撮像地点の住所を検索キーワードとして、画像撮像地点の住所に関連するＷｅｂページをインターネット回線を介して検索する。画像表示部１０５ｃは、検索結果を画像に関連付けてモニタ１０６に表示する。【選択図】      図１
2007034403.tif 000002
【特許請求の範囲】
【請求項１】
撮像時の情報と、画像情報とを含む画像データを読み込む画像読み込み手段と、
前記画像読み込み手段で前記画像データを読み込むとき、前記撮像時の情報を検索キーワードとして、前記撮像時の情報に関連するＷｅｂページをインターネット回線を介して検索するためのコマンドを出力する検索手段と、
前記撮像時の情報に関連するＷｅｂページの検索結果を前記画像に関連付けて出力する出力手段とを備えることを特徴とする画像表示装置。
【請求項２】
撮像地点に関する情報と、画像情報とを含む画像データを読み込む画像読み込み手段と、
前記画像読み込み手段で前記画像データを読み込むとき、前記撮像地点に関する情報を検索キーワードとして、前記撮像地点に関連するＷｅｂページをインターネット回線を介して検索するためのコマンドを出力する検索手段と、
前記撮像地点に関連するＷｅｂページの検索結果を前記画像に関連付けて出力する出力手段とを備えることを特徴とする画像表示装置。
【請求項３】
請求項２に記載の画像表示装置において、
前記画像データ内には、画像の撮像条件も含み、
前記検索手段は、前記検索キーワードに前記撮像条件も含めてコマンドを出力することを特徴とする画像表示装置。
【請求項４】
コンピュータで実行される画像表示プログラムであって、
撮像時の情報と、画像情報とを含む画像データを読み込む工程と、
前記画像データを読み込むとき、前記撮像時の情報を検索キーワードとして、前記撮像時の情報に関連するＷｅｂページをインターネット回線を介して検索するためのコマンドを出力する工程と、
前記撮像時の情報に関連するＷｅｂページの検索結果を前記画像に関連付けて出力する工程とを有することを特徴とする画像表示プログラム。
【請求項５】
コンピュータで実行される画像表示プログラムであって、
撮像地点に関する情報と、画像情報とを含む画像データを読み込む工程と、
前記画像データを読み込むとき、前記撮像地点に関する情報を検索キーワードとして、前記撮像地点に関連するＷｅｂページをインターネット回線を介して検索するためのコマンドを出力する工程と、
前記撮像地点に関連するＷｅｂページの検索結果を前記画像に関連付けて出力する工程とを有することを特徴とする画像表示プログラム。
【発明の詳細な説明】
【技術分野】
【０００１】
本発明は、撮像した画像を表示する画像表示装置、および画像表示プログラムに関する。
【背景技術】
【０００２】
次のような画像管理装置が特許文献１によって知られている。この画像管理装置によれば、画像データ内にその画像の撮影時の情報を記憶しておき、地図上に表示されたアイコンをクリックすると、撮影時の情報に基づいて、そのアイコン表示地点に関連する画像を表示する。
【０００３】
【特許文献１】特開２００４−２６６６３６号公報
【発明の開示】
【発明が解決しようとする課題】
【０００４】
しかしながら、従来の画像管理装置においては、画像データ内に記憶されている画像の撮影時の情報を、地図データと対応付けるためだけに使用しており、未だ撮影時の情報を十分に活用できていなかった。
【課題を解決するための手段】
【０００５】
本発明は、撮像時の情報と、画像情報とを含む画像データを読み込むとき、撮像時の情報を検索キーワードとして、撮像時の情報に関連するＷｅｂページをインターネット回線を介して検索するためのコマンドを出力し、撮像時の情報に関連するＷｅｂページの検索結果を画像に関連付けて出力することを特徴とする。
本発明はまた、撮像地点に関する情報と、画像情報とを含む画像データを読み込むとき、撮像地点に関する情報を検索キーワードとして、撮像地点に関連するＷｅｂページをインターネット回線を介して検索するためのコマンドを出力し、撮像地点に関連するＷｅｂページの検索結果を画像に関連付けて出力することを特徴とする。
また、前記画像データ内には画像の撮像条件も含み、検索キーワードに撮像条件も含めてコマンドを出力するようにしてもよい。
【発明の効果】
【０００６】
本発明によれば、画像の撮像時の情報に関連するＷｅｂページの検索結果を画像に関連付けて表示することができ、撮像時の情報を十分に活用することができる。
【発明を実施するための最良の形態】
【０００７】
図１は、本実施の形態における画像表示装置の一実施の形態を示すブロック図である。画像表示装置１００は、例えばパソコン（ＰＣ）であり、使用者によって操作される入力装置１０１、例えばキーボードやマウスと、外部撮像装置を接続して画像を取り込むための外部インターフェース１０２、例えばＵＳＢインターフェースと、外部インターフェース１０２を介して取り込んだ画像データ、および後述する画像表示プログラムを記憶するＨＤＤ１０３と、所定の通信回線を介してインターネットに接続するための通信装置１０４と、ＣＰＵ、メモリ、およびその他の周辺回路で構成され、後述する画像表示プログラムを実行する制御装置１０５と、画像を表示するモニタ１０６とを備えている。
【０００８】
外部インターフェース１０２を介して取り込まれる画像データは、例えばＧＰＳ機能を備えたデジタルカメラやカメラ付き携帯電話などで撮像された静止画の画像データであり、その画像データ内に各画像の撮影地点に関する情報として緯度経度情報を含んでいる。例えば、これらの外部撮像装置で撮像された画像データは公知のＥｘｉｆ形式で保存されており、緯度経度情報は、このＥｘｉｆデータ内に保存されている。
【０００９】
制御装置１０５は、画像取得部１０５ａと、情報検索部１０５ｂと、画像表示部１０５ｃとを備えている。画像取得部１０５ａは、外部インターフェース１０２に上述したデジタルカメラやカメラ付き携帯電話などの外部撮像装置が接続されたことを検出すると、図２に示すように、外部撮像装置内に保存されている画像の一覧を取り込んで、モニタ１０６に表示する。そして、使用者によって入力装置１０１が操作されて、モニタ１０６に表示された一覧の中から取得対象の画像が選択され、画像の取得開始を指示する「Ｔｒａｎｓｆｅｒ」ボタン２ａが押下されると、外部インターフェース１０２を介した画像データの転送を開始する。このように外部撮像装置から取得した画像データは、制御装置１０５が有するメモリ内に記憶される。
【００１０】
情報検索部１０５ｂは、画像取得部１０５ａによって任意の画像データが取得されたときに、その画像データに含まれる画像の撮像場所、すなわち撮像地点の緯度経度情報を読み込んで、その撮像地点の住所を特定する。このとき、ＨＤＤ１０３にあらかじめ記憶されている緯度経度情報と住所情報とを対応付けたテーブルを参照して、画像データに含まれる緯度経度情報を住所情報に変換することによって、撮像地点の住所を特定する。
【００１１】
撮像地点の住所を特定すると、その住所を検索キーワードに設定して、インターネットでＷｅｂ検索を行う。すなわち、通信装置１０４を介してインターネットに接続し、あらかじめ設定されたＵＲＬの検索サイトにアクセスする。そして、検索サイト上において、上述した処理で特定した撮像地点の住所を検索キーワードに設定してＷｅｂページの検索を指示するコマンドを出力する。
【００１２】
なお、撮像地点の住所を検索キーワードに設定してＷｅｂページの検索を行った場合には、一般的には、次のようなＷｅｂページが検索される。
・インターネット地図サイト上の撮像地点付近の地図ページ
・撮像地点付近に存在する店舗名称、施設名称、河川や道路名称などを含むページ
・撮像地点の住所に存在する店舗や施設のホームページ
・撮像地点の住所に存在する店舗や施設のキャンペーン情報やイベント情報などの最新情報を紹介するページ
・撮像地点付近の天気予報や最寄り駅情報など、撮像地点に関する種々の情報を含むページ
【００１３】
画像表示部１０５ｃは、検索結果として取得されたこれらのＷｅｂページタイトルの一覧を図３に示すようにモニタに表示（出力）する。この図３に示す画面では、使用者は、画像とともにリンクを表示したい検索結果をチェックボックス３ａを選択して指定することができるようになっている。図３に示した画面で使用者によっていずれかのページタイトルが選択され、「Ｎｅｘｔ」ボタン３ｂが押下されると、図４に示すように、取得した画像４ａとともに、検索結果の中から選択されたＷｅｂページ情報、すなわちＷｅｂページのタイトルを表示したリンクをキーワード表示欄４ｂ内に表示してモニタ１０６に表示する。
【００１４】
これによって、使用者は画像を取り込むだけで、その画像の撮像地点の住所をキーワードに含むＷｅｂページへのリンクを取得することができ、画像と、画像に関連するＷｅｂページへのリンクとを対応付けて表示できるようになる。また、キーワード表示欄４ｂ内に表示されているＷｅｂページタイトルのリンクを選択すると、ブラウザが起動してリンク先のＷｅｂページが表示されるため、使用者は画像とともに関連するＷｅｂページも閲覧することができるようになる。
【００１５】
なお、本実施の形態では、使用者はＷｅｂ検索を行って得た関連ページへのリンクの他に、使用者が入力装置１０１を操作して好みのリンクを追加できるようになっており、図４に示す例でも、例えば「反日デモ」などの図３で検索結果として表示されていないタイトル（キーワード）が、使用者によって追加されて表示されている。
【００１６】
キーワード表示欄４ｂ内に表示されている検索結果のＷｅｂページ、すなわちページタイトルとリンク先のＵＲＬは、画像と関連付けてＨＤＤ１０３に保存され、使用者が当該画像を次回起動したときにも、同様のレイアウトで画像とＷｅｂページへのリンクを同一画面内に表示する。この図４に示す表示レイアウトは、使用者によってあらかじめ指定されているものとし、図４に示すレイアウト以外の様々なレイアウトも指定できるものとする。
【００１７】
図５は、本実施の形態における画像表示装置１００の処理を示すフローチャートである。図５に示す処理は、画像表示装置１００の電源がオンされると、制御装置によってＨＤＤ１０３から画像表示プログラムが読み込まれて起動されることによって実行される。
【００１８】
ステップＳ１０において、画像取得部１０５ａは、外部インターフェース１０２に上述したデジタルカメラやカメラ付き携帯電話などの外部撮像装置が接続されたか否かを判断する。外部撮像装置が接続されたと判断した場合には、ステップＳ２０へ進む。ステップＳ２０では、図２に示したように、外部撮像装置内に保存されている画像を取り込んで、モニタ１０６に一覧表示して、ステップＳ３０へ進む。
【００１９】
ステップＳ３０では、図２に示した「Ｔｒａｎｓｆｅｒ」ボタン２ａが押下されて、外部撮像装置から画像データの転送開始が指示されたか否かを判断する。画像データの転送開始が指示されたと判断した場合には、ステップＳ４０へ進む。ステップＳ４０では、情報検索部１０５ｂは、転送された画像データ内に含まれる撮像地点の緯度経度情報を読み込んで、ステップＳ５０へ進む。ステップＳ５０では、上述したように、ＨＤＤ１０３にあらかじめ記憶されている緯度経度情報から住所情報への変換テーブルを参照して、撮像地点の住所を特定する。その後、ステップＳ６０へ進む。
【００２０】
ステップＳ６０では、上述したように、特定した住所を検索キーワードとして設定し、通信装置１０４を介してインターネットに接続してＷｅｂ検索を行う。その後ステップＳ７０へ進み、検索キーワードとして撮像地点の住所を設定してＷｅｂ検索を行った結果、１件以上のＷｅｂページがヒットしたか、すなわち１件以上の検索結果があるかいなかを判断する。検索結果がないと判断した場合にはステップＳ８０へ進み、画像表示部１０５ｃは、画像のみをモニタ１０６に表示して、後述するステップＳ１２０へ進む。
【００２１】
これに対して、検索結果があると判断した場合には、ステップＳ９０へ進む。ステップＳ９０では、画像表示部１０５ｃは、図３で上述したように、検索結果として取得されたＷｅｂページタイトルの一覧を図３に示すようにモニタに表示する。その後、ステップＳ１００へ進み、使用者によるリンクの選択、および「Ｎｅｘｔ」ボタン３ｂの押下を検出して、表示対象リンクの選択が完了したか否かを判断する。表示対象リンクの選択が完了したと判断した場合には、ステップＳ１１０へ進む。
【００２２】
ステップＳ１１０では、図４に示したように、外部撮像装置から取り込んだ画像と、その画像の撮像場所の住所をキーワードに含むＷｅｂページへのリンクを、あらかじめ設定されたレイアウトでモニタ１０６に表示してステップＳ１２０へ進む。ステップＳ１２０では、外部撮像装置から取り込む全画像の転送が完了したか否かを判断する。全画像の転送が完了していないと判断した場合には、ステップＳ１３０へ進む。ステップＳ１３０では、次の画像の転送を開始して、ステップＳ４０へ戻る。
【００２３】
これに対して、全画像の転送が完了したと判断した場合には、ステップＳ１４０へ進む。ステップＳ１４０では、画像表示装置１００の電源がオフされたか否かを判断する。電源がオフされていないと判断した場合には、ステップＳ１０へ戻って処理を繰り返す。一方、電源がオフされたと判断した場合には、処理を終了する。
【００２４】
以上説明した本実施の形態によれば、以下のような作用効果を得ることができる。
（１）外部撮像装置から画像の取り込みを行う際に、取り込んだ画像データに含まれる緯度経度情報に基づいて、撮像地点の住所をキーワードに含む関連Ｗｅｂページをインターネットで検索するようにした。これによって、画像の取り込みを行うだけで、その画像の撮像地点に関連するＷｅｂページへのリンクを自動的に取得することができ、使用者の利便性が向上する。
【００２５】
（２）検索した撮像地点の住所をキーワードに含む関連Ｗｅｂページへのリンクを、画像に関連付けてモニタ上に表示し、使用者がリンクを選択すると、ブラウザを起動してリンク先のＷｅｂページが表示するようにした。これによって、使用者は画像に関連するＷｅｂページに容易にアクセスできるようになり、様々な関連情報を入手することができるようになる。
【００２６】
―変形例―
なお、上述した実施の形態の画像表示装置は、以下のように変形することもできる。
【００２７】
（１）上述した実施の形態では、画像データに含まれる撮像地点の緯度経度情報を撮像地点の住所に変換し、この撮像地点の住所を検索キーワードとしてＷｅｂ検索を行って、画像データとともに関連するＷｅｂページへのリンクをモニタに表示する例について説明した。しかしこれに限定されず、住所に加えて画像データに含まれるその他の情報、例えばＥｘｉｆ情報に含まれる撮影日時や撮影モードなどの種々の撮影条件を検索キーワードに含めてＷｅｂ検索を行うようにしてもよい。
【００２８】
例えば、撮像地点の住所のみを検索キーワードとしてＷｅｂ検索を行った場合にその住所に存在するレストランのホームページが検索される場合に、さらにその画像の撮像時刻が夕方である場合には、その撮像時刻を検索キーワードに加えることで、レストランのディナー情報が検索されるようにする。このように、撮像地点に関する情報だけでなく、撮像条件を加味したＷｅｂ検索を行うことによって、より画像にマッチした関連情報を提供することができるようになる。なお、この場合、撮影条件に含まれるそれぞれの情報を個別の検索キーワードとしてＷｅｂ検索を行ってもよく、撮影条件に含まれる複数の情報を組み合わせた複合キーワードとして検索を行ってもよい。
【００２９】
（２）上述した実施の形態では、外部撮像装置はＧＰＳ機能を備えており、画像の撮影地点に関する情報として緯度経度情報を画像データ内に記憶する例について説明した。しかしこれに限定されず、さらにコンパス（方位磁石）を内蔵した外部撮像装置において、画像の撮像時に撮像地点の緯度経度情報とともに、その地点からの撮像方向を画像データ内に記憶しておき、緯度経度情報、および撮像方向に基づいて、関連情報をＷｅｂ検索するようにしてもよい。
【００３０】
（３）上述した実施の形態では、画像データとして、外部撮像装置で撮像した静止画データを表示対象とする例について説明した。しかしこれに限定されず、動画撮影機能付きのデジタルカメラやカメラ付き携帯電話などで撮像された動画データを表示対象としてもよい。なお、動画データの場合には、一般的にＥｘｉｆデータ内に動画の撮影を開始した時点の緯度経度情報が記憶されており、この緯度経度情報に基づいて、動画を撮影を開始した地点の関連Ｗｅｂページを動画データとともに表示することができる。
【００３１】
（４）上述した実施の形態では、画像表示装置１００は、例えばパソコンであり、デジタルカメラなどの外部撮像装置で撮像した画像を取り込んで上述した種々の処理を実行する例について説明した。しかしこれに限定されず、画像表示装置１００をインターネット接続可能なデジタルカメラに適用してもよい。この場合には、デジタルカメラで画像を撮像したときに、その画像データに含まれる緯度経度情報に基づいて自動的にＷｅｂ検索を行い、デジタルカメラが備える液晶モニタに図３および４に示した画面を出力するようにしてもよい。
【００３２】
（５）また、上述した画像表示装置１００が有する画像処理プログラムを、画像をアップロードしてアルバムを作成することができるインターネット上のアルバムサービスを提供しているホスト上に保存するようにしてもよい。そして、インターネットに接続されているパソコンからアルバムサービスへ画像がアップロードされたときに、関連情報をＷｅｂ検索するようにし、画像に関連するＷｅｂページへのリンクを表示したアルバム画面をパソコンに出力するようにしてもよい。
【００３３】
なお、本発明の特徴的な機能を損なわない限り、本発明は、上述した実施の形態における構成に何ら限定されない。
【図面の簡単な説明】
【００３４】
【図１】画像表示装置の一実施の形態を示すブロック図である。
【図２】画像表示プログラムによって表示される画面の具体例を示す第１の図である。
【図３】画像表示プログラムによって表示される画面の具体例を示す第２の図である。
【図４】画像表示プログラムによって表示される画面の具体例を示す第３の図である。
【図５】画像表示装置の処理を示すフローチャート図である。
【符号の説明】
【００３５】
１００  画像表示装置
１０１  入力装置
１０２  外部インターフェース
１０３  ＨＤＤ
１０４  通信装置
１０５  制御装置
１０５ａ  画像取得部
１０５ｂ  情報検索部
１０５ｃ  画像表示部
１０６  モニタ
【図１】
2007034403.tif 000003
【図２】
2007034403.tif 000004
【図３】
2007034403.tif 000005
【図４】
2007034403.tif 000006
【図５】
2007034403.tif 000007